(57)【要約】【課題】回路遮断器間の連携を簡単な構成で実現することができる連携ユニットおよび回路遮断器システムを得ること。【解決手段】連携ユニット３０は、第１の回路遮断器１０の状態と第２の回路遮断器２０の状態とを連携させる。連携ユニット３０は、第１のスイッチ１１、第２のスイッチ１２、第３のスイッチ２１、第４のスイッチ２２、第１の電圧引き外し装置１３、および第２の電圧引き外し装置２３に接続され、第１の回路遮断器１０の状態と第２の回路遮断器２０の状態とを連動させる。【選択図】図１
2020092061.tif 000002
【特許請求の範囲】
【請求項１】
第１の回路遮断器の状態と第２の回路遮断器の状態とを連携させる連携ユニットであって、
前記第１の回路遮断器は、
前記第１の回路遮断器の開閉状態を電気的に出力する第１のスイッチと、
前記第１の回路遮断器のトリップ状態を電気的に出力する第２のスイッチと、
前記第１の回路遮断器を電気的入力によりトリップさせる第１の電圧引き外し装置と、を備え、
前記第２の回路遮断器は、
前記第２の回路遮断器の開閉状態を電気的に出力する第３のスイッチと、
前記第２の回路遮断器のトリップ状態を電気的に出力する第４のスイッチと、
前記第２の回路遮断器を電気的入力によりトリップさせる第２の電圧引き外し装置と、を備え、
前記連携ユニットは、
前記第１のスイッチ、前記第２のスイッチ、前記第３のスイッチ、前記第４のスイッチ、前記第１の電圧引き外し装置、および前記第２の電圧引き外し装置に接続され、前記第１の回路遮断器の状態と前記第２の回路遮断器の状態とを連動させる
ことを特徴とする連携ユニット。
【請求項２】
前記連携ユニットは、
前記第１のスイッチの状態と前記第３のスイッチの状態が異なる場合に、前記第１の電圧引き外し装置および前記第２の電圧引き外し装置に電気的入力を行う駆動回路と、
前記第２のスイッチを前記第２の電圧引き外し装置に接続し、前記第４のスイッチを前記第１の電圧引き外し装置に接続する接続部と、を備える
ことを特徴とする請求項１に記載の連携ユニット。
【請求項３】
前記駆動回路は、
前記第１のスイッチの状態と前記第３のスイッチの状態が異なる状態が予め設定された時間継続した場合に前記第１の電圧引き外し装置および前記第２の電圧引き外し装置に電気的入力を行う
ことを特徴とする請求項２に記載の連携ユニット。
【請求項４】
請求項１から３のいずれか一つに記載の連携ユニットと、
前記第１の回路遮断器と、
前記第２の回路遮断器と、を備える
ことを特徴とする回路遮断器システム。
【請求項５】
前記第１の回路遮断器は、
前記第１のスイッチ、前記第２のスイッチ、および前記第１の電圧引き外し装置に接続されたコネクタを備え、
前記第２の回路遮断器は、
前記第３のスイッチ、前記第４のスイッチ、および前記第２の電圧引き外し装置に接続されたコネクタを備え、
前記連携ユニットは、
前記第１の回路遮断器および前記第２の回路遮断器を並べた状態で、前記第１の回路遮断器の前記コネクタと前記第２の回路遮断器の前記コネクタとを接続するコネクタを有する
ことを特徴とする請求項４に記載の回路遮断器システム。
【発明の詳細な説明】
【技術分野】
【０００１】
本発明は、２つの回路遮断器の状態を連携させる連携ユニットおよび回路遮断器システムに関する。
【背景技術】
【０００２】
従来、互いに異なる周波数を有する２つの電源系統から同時に電力供給を受ける必要がある装置が知られている。かかる装置は、電源系統毎の遮断器を介して各電源系統からの電力供給を受けるが、１つの電源系統のみから電力が供給された場合、正常に作動しなかったり、作動そのものをしなかったりする場合がある。この場合、各電源系統に接続される回路遮断器間において、開閉操作および引き外し動作について連携させる必要がある。特許文献１には、開閉操作を行う操作ハンドルと、引き外し動作の起点となるトリップバーとをそれぞれ回路遮断器間で機械的に連携させる技術が開示されている。
【先行技術文献】
【特許文献】
【０００３】
【特許文献１】特開２００１−１４３５９６号公報
【発明の概要】
【発明が解決しようとする課題】
【０００４】
しかしながら、上記特許文献１に記載の技術では、操作ハンドルとトリップバーを回路遮断器間で機械的に連携させることから、回路遮断器の不要動作および不動作を防止するために、精度の高い部品および連結構造が必要になるといった課題がある。
【０００５】
本発明は、上記に鑑みてなされたものであって、回路遮断器間の連携を簡単な構成で実現することができる連携ユニットを得ることを目的とする。
【課題を解決するための手段】
【０００６】
上述した課題を解決し、目的を達成するために、本発明の連携ユニットは、第１の回路遮断器の状態と第２の回路遮断器の状態とを連携させる。第１の回路遮断器は、第１の回路遮断器の開閉状態を電気的に出力する第１のスイッチと、第１の回路遮断器のトリップ状態を電気的に出力する第２のスイッチと、第１の回路遮断器を電気的入力によりトリップさせる第１の電圧引き外し装置とを備える。第２の回路遮断器は、第２の回路遮断器の開閉状態を電気的に出力する第３のスイッチと、第２の回路遮断器のトリップ状態を電気的に出力する第４のスイッチと、第２の回路遮断器を電気的入力によりトリップさせる第２の電圧引き外し装置とを備える。連携ユニットは、第１のスイッチ、第２のスイッチ、第３のスイッチ、第４のスイッチ、第１の電圧引き外し装置、および第２の電圧引き外し装置に接続され、第１の回路遮断器の状態と第２の回路遮断器の状態とを連動させる。
【発明の効果】
【０００７】
本発明によれば、回路遮断器間の連携を簡単な構成で実現することができる、という効果を奏する。
【図面の簡単な説明】
【０００８】
【図１】本発明の実施の形態１にかかる回路遮断器システムの構成例を示す図
【図２】実施の形態１にかかる回路遮断器の状態とＡＸスイッチの接触状態との関係を説明するための図
【図３】実施の形態１にかかる回路遮断器の状態とＡＬスイッチの接触状態との関係を説明するための図
【図４】実施の形態１にかかる回路遮断器システムの電気的な接続を示す図
【図５】本発明の実施の形態２にかかる第１の回路遮断器および第２の回路遮断器の外観図
【図６】実施の形態２にかかる回路遮断器システムにおける第１の回路遮断器、第２の回路遮断器、および連携ユニットの接続構成の一例を示す図
【発明を実施するための形態】
【０００９】
以下に、本発明の実施の形態にかかる連携ユニットおよび回路遮断器システムを図面に基づいて詳細に説明する。なお、この実施の形態によりこの発明が限定されるものではない。
【００１０】
実施の形態１．
図１は、本発明の実施の形態１にかかる回路遮断器システムの構成例を示す図である。図１に示すように、実施の形態１にかかる回路遮断器システム１は、電源系統２，３と負荷４，５との間に接続される。電源系統２と電源系統３とは、例えば、互いに周波数および電圧のうち少なくとも一方が異なる。負荷４と負荷５とは、例えば、同一の装置に含まれる。
【００１１】
回路遮断器システム１は、第１の回路遮断器１０と、第２の回路遮断器２０と、第１の回路遮断器１０の状態と第２の回路遮断器２０の状態とを連携させる連携ユニット３０とを備える。第１の回路遮断器１０は、電源系統２と負荷４との間に接続され、電源系統２と負荷４との間の電路の接続および遮断を行う。
【００１２】
例えば、第１の回路遮断器１０は、操作ハンドル１４が操作された場合に、電源系統２と負荷４との間の電路の接続または遮断を行う。第１の回路遮断器１０の状態は、操作ハンドル１４への閉操作によって電源系統２と負荷４との間の電路が接続された状態ではオン状態であり、操作ハンドル１４への開操作によって電源系統２と負荷４との間の電路が遮断された状態ではオフ状態である。また、第１の回路遮断器１０は、電源系統２と負荷４との間の電路が接続されている状態で、電源系統２と負荷４との間の電路に過電流または漏洩電流が流れた場合に、電源系統２と負荷４との間の電路を遮断してトリップ状態になる。
【００１３】
第２の回路遮断器２０は、電源系統３と負荷５との間に接続され、電源系統３と負荷５との間の電路の接続および遮断を行う。例えば、第２の回路遮断器２０は、操作ハンドル２４が操作された場合に、電源系統３と負荷５との間の電路の接続または遮断を行う。第２の回路遮断器２０の状態は、操作ハンドル２４への閉操作によって電源系統３と負荷５との間の電路が接続された状態ではオン状態であり、操作ハンドル２４への開操作によって電源系統３と負荷５との間の電路が遮断された状態ではオフ状態である。また、第２の回路遮断器２０は、電源系統３と負荷５との間の電路が接続されている状態で、電源系統３と負荷５との間の電路に過電流または漏洩電流が流れた場合に、電源系統３と負荷５との間の電路を遮断してトリップ状態になる。
【００１４】
第１の回路遮断器１０は、第１の回路遮断器１０の開閉状態を電気的に出力する第１のスイッチ１１と、第１の回路遮断器１０のトリップ状態を電気的に出力する第２のスイッチ１２と、第１の回路遮断器１０を電気的入力によりトリップさせる第１の電圧引き外し装置１３とを備える。
【００１５】
第２の回路遮断器２０は、第２の回路遮断器２０の開閉状態を電気的に出力する第３のスイッチ２１と、第２の回路遮断器２０のトリップ状態を電気的に出力する第４のスイッチ２２と、第２の回路遮断器２０を電気的入力によりトリップさせる第２の電圧引き外し装置２３とを備える。
【００１６】
第１のスイッチ１１および第３のスイッチ２１は、例えば、ＡＸ（Auxiliary  contact）スイッチであり、第２のスイッチ１２および第４のスイッチ２２は、例えば、ＡＬ（Alarm  contact）スイッチである。ＡＸスイッチおよびＡＬスイッチは、回路遮断器の一般的なオプションである。以下において、第１のスイッチ１１および第３のスイッチ２１は、ＡＸスイッチであるものとし、第２のスイッチ１２および第４のスイッチ２２は、ＡＬスイッチであるものとして説明するが、かかる例に限定されない。
【００１７】
連携ユニット３０は、第１のスイッチ１１、第２のスイッチ１２、第３のスイッチ２１、第４のスイッチ２２、第１の電圧引き外し装置１３、および第２の電圧引き外し装置２３に接続され、第１の回路遮断器１０の開閉状態と第２の回路遮断器２０の開閉状態とを連動させる。
【００１８】
かかる連携ユニット３０は、駆動回路３１と、接続部３２とを備える。駆動回路３１は、第１のスイッチ１１の状態と第２のスイッチ１２の状態が異なる場合に、第１の電圧引き外し装置１３および第２の電圧引き外し装置２３に電気的入力を行う。接続部３２は、第２のスイッチ１２を第２の電圧引き外し装置２３に接続し、第４のスイッチ２２を第１の電圧引き外し装置１３に接続する。
【００１９】
駆動回路３１は、タイマーリレー３３と、第１タイマーリレー接点３４と、第２タイマーリレー接点３５とを備える。タイマーリレー３３に制御電源６の電圧が印加されていない状態では、第１タイマーリレー接点３４および第２タイマーリレー接点３５が各々を開状態である。タイマーリレー３３に制御電源６の電圧が印加されると、タイマーリレー３３の充電が開始される。タイマーリレー３３の充電が開始されてからの時間がタイマーリレー３３のタイマ設定時間に達すると、タイマーリレー３３は、第１タイマーリレー接点３４および第２タイマーリレー接点３５の各々を開状態から閉状態にする。
【００２０】
図２は、実施の形態１にかかる回路遮断器の状態とＡＸスイッチの接触状態との関係を説明するための図である。第１の回路遮断器１０の状態がオフ状態またはトリップ状態である場合、ＡＸスイッチである第１のスイッチ１１のｂ接点が閉状態であり、第１のスイッチ１１の端子ＡＸｂと端子ＡＸｃとが接続された状態である。第１の回路遮断器１０の状態がオン状態である場合、第１のスイッチ１１のａ接点が閉状態であり、第１のスイッチ１１の端子ＡＸａと端子ＡＸｃとが接続された状態である。
【００２１】
同様に、第２の回路遮断器２０の状態がオフ状態またはトリップ状態である場合、ＡＸスイッチである第３のスイッチ２１のｂ接点が閉状態であり、第３のスイッチ２１の端子ＡＸｂと端子ＡＸｃとが接続された状態である。また、第２の回路遮断器２０の状態がオン状態である場合、第３のスイッチ２１のａ接点が閉状態であり、第３のスイッチ２１の端子ＡＸａと端子ＡＸｃとが接続された状態である。
【００２２】
図３は、実施の形態１にかかる回路遮断器の状態とＡＬスイッチの接触状態との関係を説明するための図である。第１の回路遮断器１０の状態がオフ状態またはオン状態である場合、ＡＬスイッチである第２のスイッチ１２のｂ接点が閉状態であり、第２のスイッチ１２の端子ＡＬｂと端子ＡＬｃとが接続された状態である。第１の回路遮断器１０の状態がトリップ状態である場合、第２のスイッチ１２のａ接点が閉状態であり、第２のスイッチ１２の端子ＡＬａと端子ＡＬｃとが接続された状態である。
【００２３】
同様に、第２の回路遮断器２０の状態がオフ状態またはオン状態である場合、ＡＬスイッチである第４のスイッチ２２のｂ接点が閉状態であり、第４のスイッチ２２の端子ＡＬｂと端子ＡＬｃとが接続された状態である。また、第２の回路遮断器２０の状態がトリップ状態である場合、第４のスイッチ２２のａ接点が閉状態であり、第４のスイッチ２２の端子ＡＬａと端子ＡＬｃとが接続された状態である。
【００２４】
図４は、実施の形態１にかかる回路遮断器システムの電気的な接続を示す図である。図４に示すように、制御電源６には、第１のスイッチ１１、第３のスイッチ２１、およびタイマーリレー３３の直列回路が並列に接続される。具体的には、第１のスイッチ１１は、端子ＡＸｃが制御電源６の一端に接続され、端子ＡＸａが第３のスイッチ２１の端子ＡＸｂに接続され、端子ＡＸｂが第３のスイッチ２１の端子ＡＸａに接続される。タイマーリレー３３の一端は、第３のスイッチ２１の端子ＡＸｃに接続され、タイマーリレー３３の他端は、制御電源６の他端に接続される。
【００２５】
また、図４に示すように、第１の電圧引き外し装置１３と第１タイマーリレー接点３４との直列回路が制御電源６に並列に接続される。また、第２の電圧引き外し装置２３と第２タイマーリレー接点３５との直列回路が制御電源６に並列に接続される。
【００２６】
また、第１タイマーリレー接点３４は、第４のスイッチ２２に並列に接続され、第２タイマーリレー接点３５は、第２のスイッチ１２に並列に接続される。具体的には、第１タイマーリレー接点３４の一端には、第４のスイッチ２２の端子ＡＬａが接続され、第１タイマーリレー接点３４の他端には、第４のスイッチ２２の端子ＡＬｃが接続される。第２タイマーリレー接点３５の一端には、第２のスイッチ１２の端子ＡＬａが接続され、第２タイマーリレー接点３５の他端には、第２のスイッチ１２の端子ＡＬｃが接続される。
【００２７】
以上のように構成された回路遮断器システム１における動作について説明する。まず、正常に２つの電源系統２，３が負荷４，５を有する装置へ投入される場合における回路遮断器システム１の動作について説明する。
【００２８】
第１の回路遮断器１０および第２の回路遮断器２０が各々オフ状態である場合、第１のスイッチ１１、第３のスイッチ２１、第２のスイッチ１２、第４のスイッチ２２、第１タイマーリレー接点３４、および第２タイマーリレー接点３５の状態は図４に示す状態である。図４に示す状態から第１の回路遮断器１０の操作ハンドル１４への閉操作によって第１の回路遮断器１０のみがオン状態になった場合、第１のスイッチ１１のａ接点が開状態から閉状態になる。そのため、第１のスイッチ１１の端子ＡＸａと第３のスイッチ２１の端子ＡＸｂを介して、第１のスイッチ１１の端子ＡＸｃと第３のスイッチ２１の端子ＡＸｃとが接続された状態になる。そのため、第１のスイッチ１１および第３のスイッチ２１を介して制御電源６の電圧がタイマーリレー３３に印加され、タイマーリレー３３の充電が開始される。
【００２９】
そして、タイマーリレー３３の充電が開始されてからの時間がタイマーリレー３３のタイマ設定時間に達するまでに、第２の回路遮断器２０の操作ハンドル２４への閉操作によって第２の回路遮断器２０がオン状態になった場合、第１のスイッチ１１の端子ＡＸｃと第３のスイッチ２１の端子ＡＸｃとの接続が解除された状態になる。そのため、制御電源６の電圧がタイマーリレー３３に印加されなくなり、タイマーリレー３３がリセットされる。これにより、第１の回路遮断器１０のオン状態と第２の回路遮断器２０のオン状態が維持され、２つの電源系統２，３から負荷４，５を有する装置への電力の供給が継続して行われる。
【００３０】
同様に、図４に示す状態から第２の回路遮断器２０への操作ハンドル２４の閉操作によって第２の回路遮断器２０のみがオン状態になった場合、第３のスイッチ２１のａ接点が開状態から閉状態になる。そのため、第１のスイッチ１１の端子ＡＸｂと第３のスイッチ２１の端子ＡＸａを介して、第１のスイッチ１１の端子ＡＸｃと第３のスイッチ２１の端子ＡＸｃとが接続された状態になる。これにより、タイマーリレー３３の充電が開始されるが、タイマーリレー３３のタイマ設定時間に達するまでに、第１の回路遮断器１０の操作ハンドル１４への閉操作があった場合、タイマーリレー３３がリセットされるため、第１の回路遮断器１０のオン状態と第２の回路遮断器２０のオン状態が維持される。これにより、２つの電源系統２，３から負荷４，５を有する装置への電力の供給が継続して行われる。
【００３１】
次に、電源系統２，３のうち１つの電源系統のみが負荷４，５を有する装置へ投入される場合における回路遮断器システム１の動作について説明する。図４に示す状態から第１の回路遮断器１０の操作ハンドル１４への閉操作によって第１の回路遮断器１０のみがオン状態になった場合、上述したように、タイマーリレー３３の充電が開始される。
【００３２】
そして、タイマーリレー３３の充電が開始されてからの時間がタイマーリレー３３のタイマ設定時間に達するまでに、第２の回路遮断器２０がオン状態にならない場合、第１タイマーリレー接点３４が開状態から閉状態になり、第１の電圧引き外し装置１３に制御電源６の電圧が印加される。そのため、第１の回路遮断器１０がトリップ状態になる。
【００３３】
同様に、図４に示す状態から操作ハンドル２４への閉操作によって第２の回路遮断器２０のみがオン状態になった場合、タイマーリレー３３の充電が開始される。タイマーリレー３３の充電が開始されてからの時間がタイマーリレー３３のタイマ設定時間に達するまでに、第１の回路遮断器１０がオン状態にならない場合、第２タイマーリレー接点３５が開状態から閉状態になり、第２の電圧引き外し装置２３に制御電源６の電圧が印加される。これにより、第２の回路遮断器２０がトリップ状態になる。
【００３４】
このように、連携ユニット３０は、第１の回路遮断器１０および第２の回路遮断器２０の一方の回路遮断器のみがオフ状態からオン状態になった後に一方の回路遮断器のみがオン状態である期間がタイマ設定期間に達すると、他方の回路遮断器をトリップ状態にする。これにより、連携ユニット３０は、第１の回路遮断器１０および第２の回路遮断器２０のうち１つの回路遮断器のみがオン状態である期間がタイマ設定期間を超えて維持されることを防止することができる。すなわち、１系統のみから電力が供給されている状態がタイマ設定期間を超えて維持されることを防止することができる。
【００３５】
次に、第１の回路遮断器１０および第２の回路遮断器２０が共にオン状態で電源系統２，３が負荷４，５を有する装置へ投入されている状態から第１の回路遮断器１０および第２の回路遮断器２０のうち一方のみがオフ状態になった場合における回路遮断器システム１の動作について説明する。
【００３６】
第１の回路遮断器１０および第２の回路遮断器２０が共にオン状態である状態から第１の回路遮断器１０の操作ハンドル１４への開操作によって第１の回路遮断器１０がオフ状態になった場合、第１のスイッチ１１のｂ接点が開状態から閉状態になる。そのため、第１のスイッチ１１の端子ＡＸｂと第３のスイッチ２１の端子ＡＸａを介して、第１のスイッチ１１の端子ＡＸｃと第３のスイッチ２１の端子ＡＸｃとが接続される。これにより、第１のスイッチ１１および第３のスイッチ２１を介して制御電源６の電圧がタイマーリレー３３に印加され、タイマーリレー３３の充電が開始される。
【００３７】
そして、タイマーリレー３３の充電が開始されてからの時間がタイマーリレー３３のタイマ設定時間に達するまでに、第２の回路遮断器２０の操作ハンドル２４が開操作されずに第２の回路遮断器２０がオフ状態にならない場合、第２タイマーリレー接点３５が開状態から閉状態になり、第２の電圧引き外し装置２３に制御電源６の電圧が印加される。そのため、第２の回路遮断器２０がトリップ状態になる。
【００３８】
同様に、第１の回路遮断器１０および第２の回路遮断器２０が共にオン状態である状態から第２の回路遮断器２０の操作ハンドル２４が開操作されて第２の回路遮断器２０がオフ状態になった場合、タイマーリレー３３の充電が開始される。そして、タイマーリレー３３の充電が開始されてからの時間がタイマーリレー３３のタイマ設定時間に達するまでに、第１の回路遮断器１０の操作ハンドル１４が開操作されずに第１の回路遮断器１０がオフ状態にならない場合、第１タイマーリレー接点３４が開状態から閉状態になり、第１の電圧引き外し装置１３に制御電源６の電圧が印加される。そのため、第１の回路遮断器１０がトリップ状態になる。
【００３９】
このように、連携ユニット３０は、第１の回路遮断器１０および第２の回路遮断器２０の一方の回路遮断器のみがオン状態からオフ状態になった後に一方の回路遮断器のみがオフ状態である期間がタイマ設定期間に達すると、他方の回路遮断器をトリップ状態にする。これにより、連携ユニット３０は、第１の回路遮断器１０および第２の回路遮断器２０のうち１つの回路遮断器のみがオフ状態になってからの期間がタイマ設定期間を超えて維持されることを防止することができる。すなわち、１系統のみから電力が供給されている状態がタイマ設定期間を超えて維持されることを防止することができる。
【００４０】
次に、第１の回路遮断器１０および第２の回路遮断器２０が共にオン状態である状態から第１の回路遮断器１０および第２の回路遮断器２０のうち一方が過電流の発生によってトリップ状態になった場合における回路遮断器システム１の動作について説明する。
【００４１】
第１の回路遮断器１０および第２の回路遮断器２０が共にオン状態である状態から第１の回路遮断器１０が過電流の発生によってトリップ状態になった場合、第２のスイッチ１２のａ接点が開状態から閉状態になる。すなわち、第２のスイッチ１２の端子ＡＬａと端子ＡＬｃとが接続される。そのため、第２の電圧引き外し装置２３に制御電源６の電圧が印加され、第２の回路遮断器２０がトリップ状態になる。
【００４２】
同様に、第１の回路遮断器１０および第２の回路遮断器２０が共にオン状態である状態から第２の回路遮断器２０が過電流の発生によってトリップ状態になった場合、第４のスイッチ２２のａ接点が開状態から閉状態になる。すなわち、第４のスイッチ２２の端子ＡＬａと端子ＡＬｃとが接続される。そのため、第１の電圧引き外し装置１３に制御電源６の電圧が印加され、第１の回路遮断器１０がトリップ状態になる。
【００４３】
このように、連携ユニット３０は、第１の回路遮断器１０および第２の回路遮断器２０の一方の回路遮断器のみがオン状態からトリップ状態になると、他方の回路遮断器をトリップ状態にする。これにより、連携ユニット３０は、１系統のみから電力が供給されている状態がタイマ設定期間を超えて維持されることを防止することができる。
【００４４】
なお、連携ユニット３０は上述した構成に限定されない。すなわち、連携ユニット３０は、例えば、第１のスイッチ１１、第２のスイッチ１２、第３のスイッチ２１、および第４のスイッチ２２の状態から、第１の回路遮断器１０および第２の回路遮断器２０のうち一方の回路遮断器のみがオフ状態またはトリップ状態である場合に、他方の回路遮断器をトリップ状態にすることができる構成であればよい。
【００４５】
以上のように、実施の形態１にかかる回路遮断器システム１は、第１の回路遮断器１０と、第２の回路遮断器２０と、第１の回路遮断器１０の状態と第２の回路遮断器２０の状態とを連携する連携ユニット３０とを備える。第１の回路遮断器１０は、第１の回路遮断器１０の開閉状態を電気的に出力する第１のスイッチ１１と、第１の回路遮断器１０のトリップ状態を電気的に出力する第２のスイッチ１２と、第１の回路遮断器１０を電気的入力によりトリップさせる第１の電圧引き外し装置１３とを備える。第２の回路遮断器２０は、第２の回路遮断器２０の開閉状態を電気的に出力する第３のスイッチ２１と、第２の回路遮断器２０のトリップ状態を電気的に出力する第４のスイッチ２２と、第２の回路遮断器２０を電気的入力によりトリップさせる第２の電圧引き外し装置２３とを備える。連携ユニット３０は、第１のスイッチ１１、第３のスイッチ２１、第２のスイッチ１２、第４のスイッチ２２、第１の電圧引き外し装置１３、および第２の電圧引き外し装置２３に接続され、第１の回路遮断器１０の開閉状態と第２の回路遮断器２０の開閉状態とを連動させる。これにより、第１の回路遮断器１０と第２の回路遮断器２０との連携を簡単な構成で実現することができる。また、第１のスイッチ１１および第３のスイッチ２１としてＡＸスイッチを用い、第２のスイッチ１２および第４のスイッチ２２としてＡＬスイッチを用いることで、第１の回路遮断器１０と第２の回路遮断器２０の連携を容易に行うことができる。
【００４６】
また、連携ユニット３０は、駆動回路３１と、接続部３２とを備える。駆動回路３１は、第１のスイッチ１１の状態と第３のスイッチ２１の状態が異なる場合に、第１の電圧引き外し装置１３および第２の電圧引き外し装置２３に電気的入力を行う。接続部３２は、第２のスイッチ１２を第２の電圧引き外し装置２３に接続し、第４のスイッチ２２を第１の電圧引き外し装置１３に接続する。
【００４７】
また、駆動回路３１は、第１のスイッチ１１の状態と第３のスイッチ２１の状態が異なる状態がタイマ設定時間継続した場合に第１の電圧引き外し装置１３および第２の電圧引き外し装置２３に電気的入力を行う。タイマ設定時間は、予め設定された時間の一例である。これにより、連携ユニット３０は、第１の回路遮断器１０および第２の回路遮断器２０のうち１つの回路遮断器のみがオフ状態である期間がタイマ設定期間を超えて維持されることを防止することができる。
【００４８】
実施の形態２．
実施の形態２にかかる回路遮断器システムは、第１の回路遮断器および第２の回路遮断器にコネクタを各々設け、かかるコネクタに連結ユニットのコネクタを接続することで、第１の回路遮断器の状態と第２の回路遮断器の状態とを連携させることができる。以下においては、実施の形態１にかかる回路遮断器システム１と同様の構成については同一符号を付して説明を省略し、実施の形態１にかかる回路遮断器システム１と異なる構成について主に説明するものとする。
【００４９】
図５は、本発明の実施の形態２にかかる第１の回路遮断器および第２の回路遮断器の外観図である。図６は、実施の形態２にかかる回路遮断器システムにおける第１の回路遮断器、第２の回路遮断器、および連携ユニットの接続構成の一例を示す図である。
【００５０】
図５に示すように、実施の形態２にかかる第１の回路遮断器１０Ａは、操作ハンドル１４側のカバー部に、コネクタ１５，１６を備える。コネクタ１５は、例えば、第１のスイッチ１１の端子ＡＸａ，ＡＸｂ，ＡＸｃに接続され、コネクタ１６は、例えば、第２のスイッチ１２のＡＬａ，ＡＬｃおよび第１の電圧引き外し装置１３に接続される。
【００５１】
また、図５に示すように、第２の回路遮断器２０Ａも第１の回路遮断器１０Ａと同様に、操作ハンドル２４側のカバー部にコネクタ２５，２６を備える。コネクタ２５は、例えば、第３のスイッチ２１の端子ＡＸａ，ＡＸｂ，ＡＸｃに接続され、コネクタ２６は、例えば、第４のスイッチ２２のＡＬａ，ＡＬｃおよび第２の電圧引き外し装置２３に接続される。
【００５２】
図６に示すように、実施の形態２にかかる連携ユニット３０Ａは、第１の回路遮断器１０Ａのコネクタ１５，１６および第２の回路遮断器２０Ａのコネクタ２５，２６に接続される４つのコネクタ３６，３７，３８，３９を備える。コネクタ３６，３７，３８，３９をコネクタ１５，１６，２５，２６に接続することで、連携ユニット３０Ａに第１の回路遮断器１０Ａと第２の回路遮断器２０Ａが接続され、図１および図４に示す接続状態になる。
【００５３】
図６に示すように、連携ユニット３０Ａは、第１の回路遮断器１０Ａおよび第２の回路遮断器２０Ａを並べた状態で、第１の回路遮断器１０Ａのコネクタ１５，１６と第２の回路遮断器２０Ａのコネクタ２５，２６とを接続することができる。そのため、連携ユニット３０Ａの第１の回路遮断器１０Ａと第２の回路遮断器２０Ａへの取り付けを容易に行うことができる。
【００５４】
なお、連携ユニット３０Ａと第１の回路遮断器１０Ａとを接続するためのコネクタの数および配置などは上述した例に限定されず、適宜変更することができる。同様に、連携ユニット３０Ａと第２の回路遮断器２０Ａとを接続するためのコネクタの数および配置などは上述した例に限定されず、適宜変更することができる。
【００５５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５６】
１  回路遮断器システム、２，３  電源系統、４，５  負荷、６  制御電源、１０，１０Ａ  第１の回路遮断器、１１  第１のスイッチ、１２  第２のスイッチ、１３  第１の電圧引き外し装置、１４，２４  操作ハンドル、１５，１６，２５，２６，３６，３７，３８，３９  コネクタ、２０，２０Ａ  第２の回路遮断器、２１  第３のスイッチ、２２  第４のスイッチ、２３  第２の電圧引き外し装置、３０，３０Ａ  連携ユニット、３１  駆動回路、３２  接続部、３３  タイマーリレー、３４  第１タイマーリレー接点、３５  第２タイマーリレー接点、ＡＬａ，ＡＬｂ，ＡＬｃ，ＡＸａ，ＡＸｂ，ＡＸｃ  端子。
【図１】
2020092061.tif 000003
【図２】
2020092061.tif 000004
【図３】
2020092061.tif 000005
【図４】
2020092061.tif 000006
【図５】
2020092061.tif 000007
【図６】
2020092061.tif 000008